(57)【要約】【課題】  保守員が使用している保守メニューにおいて、保守パスワードがユーザーに知れてしまった場合、ユーザーが保守用メニューを操作する可能性がある。【解決手段】  本発明は、保守用メニューをユーザーが使用してしまうことを防止するため、保守員がリモコンを携帯し、そのリモコンから発せられる電波において、オペレータパネルで保守メニューを使用可能にし、保守員が保守を終えプリンタ本体から離れると自動的にユーザーメニューを表示することを特徴とする。【選択図】図１
2006024112.tif 000002
【特許請求の範囲】
【請求項１】
プリンタ本体に信号を送信する送信部と、外プリンタ本体からの信号を受信する受信部と、スイッチ及び表示部を備えたリモコンと、外リモコンから送信される信号の受信部、自身の状態を報告する送信部、及びオペレータパネルを備えたプリンタにおいて、保守員が前記リモコンの前記スイッチを押す手段と、前記リモコンの前記表示部に前記プリンタ本体の製造番号を表示する手段と、前記製造番号を選択し、前記プリンタ本体に対して前記製造番号を送信する手段と、前記リモコンから受信した前記製造番号が自身の製造番号であるかどうか判断する手段と、前記判断により自身の製造番号であると判断された場合、前記プリンタ本体の前記オペレータパネルに保守員用メニューを表示し、かつ、前記オペレータパネルに保守員用メニューを表示中は前記リモコンに対して前記製造番号を送信する手段とを備え、前記リモコンは前記プリンタ本体から送信された前記製造番号を前記プリンタ本体に対して送信する手段を備え、前記プリンタ本体は前記リモコンから送信された前記製造番号が前記プリンタ本体内製造番号と比較して一致するかどうか判断を行い、前記製造番号が前記プリンタ本体内製造番号と一致すると判断された場合、前記オペレータパネルに保守員用メニューを表示し続ける手段を備え、前記判断において前記プリンタ本体は前記製造番号が前記リモコンから送信されない又は前記プリンタ本体内製造番号と一致しないと判断された場合、前記オペレータパネルにオペレータメニューを表示することを特徴とするプリンタ。
【発明の詳細な説明】
【技術分野】
【０００１】
本発明は、保守用のメニューを備えているプリンタに関するものである。
【背景技術】
【０００２】
プリンタの保守作業を行う場合、保守員がプリンタ本体の所まで行き、オペレータパネルからパスワードにて保護されている保守員用メニュー、または保守用操作パネルを操作して保守を行う。あるいは、ネットワーク・電話回線などの遠隔操作により保守用メニューの操作を行っている（例えば、特許文献１参照。）。
【０００３】
しかし、保守用パスワードを使用してオペレータパネルを操作する場合、ユーザーに保守パスワードが知れてしまった場合、ユーザーが保守メニューを操作してしまう可能性があった。
【０００４】
【特許文献１】特開２００３−２８８１９６号公報
【発明の開示】
【発明が解決しようとする課題】
【０００５】
解決しようとする問題点は、保守員が使用している保守メニューにおいて、保守パスワードがユーザーに知れてしまった場合、ユーザーが保守用メニューを操作してしまう可能性があるということである。
【課題を解決するための手段】
【０００６】
本発明は、保守用メニューをユーザーが使用してしまうことを防止するため、保守員がリモコンを携帯し、そのリモコンから発せられる電波においてオペレータパネルで保守メニューを使用可能にし、保守員が保守を終えプリンタ本体から離れると自動的にユーザーメニューを表示することを特徴とする。
【発明の効果】
【０００７】
本発明のプリンタによれば、保守員が携帯用のリモコンを持つことで、リモコンから発せられる電波で保守員が近くにいるかどうか判断ができ、一般ユーザーが保守用メニューを操作することがなくなる。
【発明を実施するための最良の形態】
【０００８】
以下、本発明の実施例を図面を用いて説明する。
【実施例１】
【０００９】
図１は、本発明プリンタのブロック図を示す。１は携帯用リモコンであり、該リモコン１は、送信アンテナ２、受信アンテナ３、送信部４、受信部５は制御部６、表示部７、スイッチ８を備えている。１５はプリンタ本体であり、該プリンタ本体１５は、受信アンテナ９、送信アンテナ１０、受信部１１、送信部１２、全体制御１３部、オペレータパネル制御部１４を備えている。携帯用リモコン１のスイッチ８を押すと、制御部６は送信部４へ製造番号要求信号を発信する制御信号を出力する。送信部４から送信アンテナ２にて発せられた製造番号要求信号は、プリンタ本体１５の受信アンテナ９にて受信される。アンテナ９で受信された製造番号要求信号は、受信部１１から全体制御部１３に送られ、全体制御部１３は、携帯用リモコン１から確認用の製造番号要求信号が発せられたと判断し、プリンタ本体の製造番号を準備する。製造番号は全体制御部１３から送信部１２へ出力され、送信アンテナ１０で携帯用リモコン１へ送信される。受信アンテナ３で受信された製造番号は制御部６で表示部７に表示される。プリンタ本体が複数台ある場合には、複数個の製造番号が表示部７に表示される。
【００１０】
保守員は、携帯用リモコン１の表示部７に表示された製造番号を元に今から保守作業を行うプリンタ本体を選択して、スイッチ８を押す。ここで選択された製造番号は、制御部６にて送信部４に出力され、送信アンテナ２にてプリンタ本体１５へ送信される。
【００１１】
プリンタ本体１５は、受信アンテナ９で受信された製造番号を受信部１１を経由して全体制御部１３で記録されている製造番号と比較し、一致すればオペレータパネル制御部１４に保守員用メニューを表示させる。また、製造番号がプリンタ本体１５の製造番号ではないと判断されれば、ユーザーメニューを表示したままとする。
【００１２】
また、プリンタ本体１５は、保守員用メニュー表示中は、携帯用リモコン１に対して製造番号の発信を行う。携帯用リモコン１はプリンタ本体１５の製造番号を受信したかどうかを判断し、受信したと判断すると再びプリンタ本体１５に対して製造番号を送信する。
【００１３】
ここで、全体制御部１３は、リモコン１から製造番号が送信され、記録されている製造番号と比較して一致するかどうか判断し、製造番号が一致すると判断すれば、保守員用メニュー表示を継続し、再度リモコンへ製造番号の送信を繰り返す。保守作業が終了し、保守員がプリンタ本体１５から離れ、プリンタ本体１５が製造番号を受信できない場合、または別のプリンタ本体の保守作業に移り、今まで保守していたプリンタ本体が異なる製造番号をリモコン１から受信し製造番号の不一致を検出した場合、全体制御部１３はオペレータパネル制御部１４にユーザーメニューを表示し、自動でユーザーモードに戻る。
【００１４】
また、携帯用リモコン１は保守作業が終了し、プリンタ本体１５から製造番号を受信できないと判断すると、プリンタ本体１５への製造番号の送信を停止する。
【００１５】
プリンタ本体１５の処理について図２で説明する。ステップ１０１では携帯用リモコンから製造番号要求信号を送信する。ステップ１０２では、プリンタ本体１５が製造番号を送信しリモコン１で製造番号を受信する。ステップ１０３では、リモコン１の表示部にプリンタ本体１５の製造番号を表示する。ステップ１０４では、保守員は表示されている製造番号を元に今から保守を行うプリンタ本体１５を選択する。ステップ１０５では、保守員が選択した製造番号をリモコン１からプリンタ本体１５に送信をする。
【００１６】
ここで、ステップ１０６の条件が満たされればステップ１０７を行い、保守員用メニューを表示する。ステップ１０６の条件が満たされなければステップ１１３でリモコンへ１の製造番号の送信を停止し、ステップ１１４でユーザーメニューを表示する。ステップ１０８では、プリンタ本体１５が保守員用メニューを表示中は、リモコン１に対してプリンタ本体１５の製造番号を送信する。ステップ１０９では、リモコン１はプリンタ本体１５から送信される製造番号を受信したかどうか判断する。受信したと判断すれば、ステップ１１１でプリンタ本体１５に製造番号を送信する。ここで、受信できないと判断すれば、ステップ１１０でプリンタ本体１５への製造番号の送信を停止し、保守を終了する。
【００１７】
ステップ１１２では、リモコンから製造番号を受信し、記録されている製造番号と比較して一致しているかどうかの判断を行う。リモコン１から製造番号を受信し、製造番号が一致していると判断されれば、保守員はプリンタ本体１５の近くにいると判断されるので、前記ステップ１０８を繰り返しプリンタ本体１５の保守用メニュー表示を継続する。ステップ１１２でリモコン１から製造番号が受信されない、または別な製造番号を受信したと判断されれば、保守員はプリンタ本体１５から遠くにいる、または別なプリンタ本体１５の保守に移ったと判断されるので、プリンタ本体１５はオペレータパネルをユーザーメニューに戻す。
【産業上の利用可能性】
【００１８】
保守員がオペレータパネルやスイッチ等の操作により、保守モードを切り替える機器においても適用できる。
【図面の簡単な説明】
【００１９】
【図１】プリンタの実施例を示したブロック図である。（実施例１）
【図２】プリンタの実施例を示したフローチャートである。（実施例１）
【符号の説明】
【００２０】
１  携帯用リモコン
２  送信アンテナ
３  送信アンテナ
４  送信部
５  受信部
６  制御部
７  表示部
８  スイッチ
９  受信アンテナ
１０  送信アンテナ
１１  受信部
１２  送信部
１３  全体制御部
１４  オペレータパネル制御部
１５  プリンタ本体
【図１】
2006024112.tif 000003
【図２】
2006024112.tif 000004